(57)【要約】【課題】所望の情報の表示を得るための準備段階の操作は簡単でありながら目的とする情報の検索が速やかに行われ得る携帯情報端末装置およびこの装置による電話帳表示方法を提供する。【解決手段】表示順決定手段１４８は、学習機能設定手段１４２での電話帳表示順を使用頻度順若しくは五十音順で行うかの設定と、カウント記憶手段１４５に記憶されている発信回数情報と、表示モード設定選択手段１４６での電話帳の表示モード設定（曜日別）設定、及び、曜日認識手段１４７にて認識された曜日の情報に基づいて、電話帳表示時の表示順を決定し表示順管理エリア１７にて管理する。電話帳を表示する際は情報表示手段１４９にて表示順管理エリア１７に管理されている情報表示を行う。【選択図】    図１
2004289398.tif 000002
【特許請求の範囲】
【請求項１】
外部の装置と無線通信を行なうための無線通信部と、前記無線通信部を通して行われる通信の履歴及び操作者による設定操作に基づいて発信に際しての通信相手候補者に係る表示を行うための優先順位を決定する処理を行なうための中央処理部と、前記中央処理部での処理を当該操作者が認識するための表示部と、前記中央処理部が操作者による操作を受け付けるための操作部と、前記中央処理部と共働して前記情報の表示に関する管理を行う表示順管理部と、を備えた携帯情報端末装置であって、前記中央処理部は、通信の履歴に応じて前記表示を行うための優先順位の算定態様を当該操作者が設定するための学習機能設定手段と、通信の度数を計数するカウント記憶手段と、前記表示部での表示態様を選択的に設定するための表示モード設定選択手段と、通信の履歴に応じてその通信が該当する曜日を認識する曜日認識手段とを含んでなり、前記学習機能設定手段における設定状況、前記カウント記憶手段での記憶情報、前記表示モード設定選択手段での設定、及び、前記曜日認識手段にて認識された曜日の情報に基づいて前記表示部における表示に関する表示順を決定し、当該表示順を前記表示順管理部にて管理せしめるように構成されたものであることを特徴とする携帯情報端末装置。
【請求項２】
前記中央処理部は、前記表示部での表示を制御する情報表示手段を更に備え、該情報表示手段により、前記表示順管理部で管理されている情報に基づいて当該通信相手候補者に係る表示としての電話帳表示を前記表示部に表示するように構成されたことを特徴とする請求項１に記載の携帯情報端末装置。
【請求項３】
前記中央処理部は、前記無線部を通して行われる通信の発信先を識別する発信先識別手段と、該発信先識別手段によって識別された発信先毎の通信の度数を計数する発信カウント手段とを更に備え、該発信カウント手段によって計数される通信の度数を前記カウント記憶手段にて保持せしめるように構成されたものであることを特徴とする請求項１に記載の携帯情報端末装置。
【請求項４】
前記学習機能設定手段は、当該通信相手候補者に係る表示としての電話帳表示における表示順を使用頻度順に従うものとするか又は五十音順に従うものとするかを選択的に設定することが可能に構成されたものであることを特徴とする請求項１に記載の携帯情報端末装置。
【請求項５】
前記表示モード選択手段は、当該通信相手候補者に係る表示としての電話帳表示における表示順に係る曜日を選択可能に構成されたものであることを特徴とする請求項１に記載の携帯情報端末装置。
【請求項６】
前記表示モード選択手段は、当該通信相手候補者に係る表示としての電話帳表示における表示順に係る平日と休日との区分を選択可能に構成されたものであることを特徴とする請求項１に記載の携帯情報端末装置。
【請求項７】
前記表示モード選択手段は、当該通信相手候補者に係る表示としての電話帳表示における表示順に係る該当月の上旬、中旬、下旬の区分を選択可能に構成されたものであることを特徴とする請求項１に記載の携帯情報端末装置。
【請求項８】
前記表示モード選択手段は、当該表示態様を選択的に設定することはしないことをも選択可能に構成されたものであることを特徴とする請求項１に記載の携帯情報端末装置。
【請求項９】
外部の装置と無線通信を行なうための無線通信部と、前記無線通信部を通して行われる通信の履歴及び操作者による設定操作に基づいて発信に際しての通信相手候補者に係る表示を行うための優先順位を決定する処理を行なうための中央処理部と、前記中央処理部での処理を当該操作者が認識するための表示部と、前記中央処理部が操作者による操作を受け付けるための操作部と、前記中央処理部と共働して前記情報の表示に関する管理を行う表示順管理部と、を備えた携帯情報端末装置における当該通信相手候補者に係る表示としての電話帳表示方法であって、当該通信の履歴に応じて前記表示を行うための優先順位の算定態様に関する当該操作者による設定を表す学習機能設定情報と、通信の度数の計数値を表すカウント記憶情報と、前記表示部での表示態様を選択的に設定するための情報を表す表示モード設定選択情報と、通信の履歴に応じたその通信が該当する曜日を表す曜日認識情報とに基づいて前記表示部における表示に関する表示順を決定し、当該表示順を前記表示順管理部にて管理せしめることを特徴とする携帯情報端末装置における電話帳表示方法。
【請求項１０】
前記表示順管理部で管理されている情報に基づいて当該通信相手候補者に係る表示としての電話帳表示を前記表示部に表示することを特徴とする請求項９に記載の携帯情報端末装置における電話帳表示方法。
【請求項１１】
前記無線部を通して行われる通信の発信先を識別することにより発信先識別情報を得、該発信先識別情報によって識別された発信先毎の通信の度数を計数することにより発信カウント情報を得、該発信カウント情報によって認識される通信の度数を記憶してなる情報を前記カウント記憶情報とすることを特徴とする請求項９に記載の携帯情報端末装置における電話帳表示方法。
【請求項１２】
前記学習機能設定情報は、当該通信相手候補者に係る表示としての電話帳表示における表示順を使用頻度順に従うものとするか又は五十音順に従うものとするかを表す情報であることを特徴とする請求項９に記載の携帯情報端末装置における電話帳表示方法。
【請求項１３】
前記表示モード選択情報は、当該通信相手候補者に係る表示としての電話帳表示における表示順に係る曜日を選択する情報あることを特徴とする請求項９に記載の携帯情報端末装置における電話帳表示方法。
【請求項１４】
前記表示モード選択情報は、当該通信相手候補者に係る表示としての電話帳表示における表示順に係る平日と休日との区分を選択する情報であることを特徴とする請求項９に記載の携帯情報端末装置における電話帳表示方法。
【請求項１５】
前記表示モード選択情報は、当該通信相手候補者に係る表示としての電話帳表示における表示順に係る該当月の上旬、中旬、下旬の区分を選択する情報であることを特徴とする請求項９に記載の携帯情報端末装置における電話帳表示方法。
【請求項１６】
前記表示モード選択情報は、当該表示態様を選択的に設定することはしない旨をも含み得る情報であることを特徴とする請求項９に記載の携帯情報端末装置における電話帳表示方法。
【発明の詳細な説明】
【０００１】
【発明の属する技術分野】
本発明は、例えば携帯電話機やＰＤＡのような携帯情報端末装置およびこの装置による電話帳表示方法に関する。
【０００２】
【従来の技術】
従来、携帯電話機等の携帯情報端末における電話帳の表示順は、五十音順・メモリＮｏ．順・グループ単位・ダイヤル順や使用頻度（発呼回数／着呼回数）に応じた表示順で表示を行っていた。
【０００３】
近年、上述のような携帯情報端末に備えられる記憶装置の容量は大きくなり、通信相手候補者に係る電話番号その他の情報を蓄積する電話帳にも少なからぬ情報量が保持され得るようになってきている。このように電話帳での保持情報が膨大なものとなると、所要に応じて特定の通信相手に関する情報の表示を得たい場合には目的に合致した表示を行うための操作が煩雑になるといった問題が浮上してくる。このような問題に対処するために、種々提案もなされてきている。
【０００４】
既に提案されている技術として、電子電話帳を呼び出す曜日、時間帯、電子電話帳に対する設定状況により自働的に電子電話帳の電話番号を並び替えてユーザの所望に沿ったプライオリティーの順番で電話帳が呼び出されるようにして検索手順の容易化を図ったものがある（特許文献１）。
【０００５】
また、予め登録されたモードに従って電子電話帳に保持された情報の整理を行ない、この整理された情報を設定されたモードで表示することも提案されている（特許文献２）。
【０００６】
更に、曜日単位でアドレス情報表示の優先順位を設定可能にした携帯情報端末装置の提案もされている（特許文献３）。
【０００７】
更にまた、自ら時計情報を認識して、年、月、日、曜日、時、分の全て、または何れか複数の組合せに応じて電子電話帳のデータの並び替えを可能にすることも提案されている（特許文献４）。
【０００８】
【特許文献１】
特開２０００−３５８０９４号公報（請求項１、段落００６４）
【特許文献２】
特開２００２−１２５０３６号公報（請求項３、段落０００５、図８）
【特許文献３】
特開平２００２−３００２６３号公報（請求項６）
【特許文献４】
特開平２００２−３５４１０５号公報（請求項６、請求項１０）
【０００９】
【発明が解決しようとする課題】
しかしながら、従来の技術では、ユーザ（操作者）の要望に極力合致した情報を直ちに表示させるために細目に亘る設定や情報の整理を可能にしたものでは、結局そのための準備段階の操作が煩雑なものとなってしまい、一方、この操作を思い切って単純化したものでは、今度は、所望の情報が表示されるまでに表示画面を何度もスクロールしなくては検索できなくなるなど、適度の利便性を確保するには若干の難があった。
【００１０】
そこで、本発明の目的は、所望の情報の表示を得るための準備段階の操作は簡単でありながら目的とする情報の検索が速やかに行われ得るこの種の携帯情報端末装置およびこの装置による電話帳表示方法を提供することにある。
【００１１】
【課題を解決するための手段】
上述の課題を解決するため、本発明は、次のような特徴的なものである。
【００１２】
（１）外部の装置と無線通信を行なうための無線通信部と、前記無線通信部を通して行われる通信の履歴及び操作者による設定操作に基づいて発信に際しての通信相手候補者に係る表示を行うための優先順位を決定する処理を行なうための中央処理部と、前記中央処理部での処理を当該操作者が認識するための表示部と、前記中央処理部が操作者による操作を受け付けるための操作部と、前記中央処理部と共働して前記情報の表示に関する管理を行う表示順管理部と、を備えた携帯情報端末装置であって、前記中央処理部は、通信の履歴に応じて前記表示を行うための優先順位の算定態様を当該操作者が設定するための学習機能設定手段と、通信の度数を計数するカウント記憶手段と、前記表示部での表示態様を選択的に設定するための表示モード設定選択手段と、通信の履歴に応じてその通信が該当する曜日を認識する曜日認識手段とを含んでなり、前記学習機能設定手段における設定状況、前記カウント記憶手段での記憶情報、前記表示モード設定選択手段での設定、及び、前記曜日認識手段にて認識された曜日の情報に基づいて前記表示部における表示に関する表示順を決定し、当該表示順を前記表示順管理部にて管理せしめるように構成されたものである携帯情報端末装置。
【００１３】
（２）前記中央処理部は、前記表示部での表示を制御する情報表示手段を更に備え、該情報表示手段により、前記表示順管理部で管理されている情報に基づいて当該通信相手候補者に係る表示としての電話帳表示を前記表示部に表示するように構成された上記（１）の携帯情報端末装置。
【００１４】
（３）前記中央処理部は、前記無線部を通して行われる通信の発信先を識別する発信先識別手段と、該発信先識別手段によって識別された発信先毎の通信の度数を計数する発信カウント手段とを更に備え、該発信カウント手段によって計数される通信の度数を前記カウント記憶手段にて保持せしめるように構成されたものである上記（１）の携帯情報端末装置。
【００１５】
（４）前記学習機能設定手段は、当該通信相手候補者に係る表示としての電話帳表示における表示順を使用頻度順に従うものとするか又は五十音順に従うものとするかを選択的に設定することが可能に構成されたものである上記（１）の携帯情報端末装置。
【００１６】
（５）前記表示モード選択手段は、当該通信相手候補者に係る表示としての電話帳表示における表示順に係る曜日を選択可能に構成されたものである（１）の携帯情報端末装置。
【００１７】
（６）前記表示モード選択手段は、当該通信相手候補者に係る表示としての電話帳表示における表示順に係る平日と休日との区分を選択可能に構成されたものである上記（１）の携帯情報端末装置。
【００１８】
（７）前記表示モード選択手段は、当該通信相手候補者に係る表示としての電話帳表示における表示順に係る該当月の上旬、中旬、下旬の区分を選択可能に構成されたものである上記（１）の携帯情報端末装置。
【００１９】
（８）前記表示モード選択手段は、当該表示態様を選択的に設定することはしないことをも選択可能に構成されたものである上記（１）の携帯情報端末装置。
【００２０】
（９）外部の装置と無線通信を行なうための無線通信部と、前記無線通信部を通して行われる通信の履歴及び操作者による設定操作に基づいて発信に際しての通信相手候補者に係る表示を行うための優先順位を決定する処理を行なうための中央処理部と、前記中央処理部での処理を当該操作者が認識するための表示部と、前記中央処理部が操作者による操作を受け付けるための操作部と、前記中央処理部と共働して前記情報の表示に関する管理を行う表示順管理部と、を備えた携帯情報端末装置における当該通信相手候補者に係る表示としての電話帳表示方法であって、当該通信の履歴に応じて前記表示を行うための優先順位の算定態様に関する当該操作者による設定を表す学習機能設定情報と、通信の度数の計数値を表すカウント記憶情報と、前記表示部での表示態様を選択的に設定するための情報を表す表示モード設定選択情報と、通信の履歴に応じたその通信が該当する曜日を表す曜日認識情報とに基づいて前記表示部における表示に関する表示順を決定し、当該表示順を前記表示順管理部にて管理せしめる携帯情報端末装置における電話帳表示方法。
【００２１】
（１０）前記表示順管理部で管理されている情報に基づいて当該通信相手候補者に係る表示としての電話帳表示を前記表示部に表示する上記（９）の携帯情報端末装置における電話帳表示方法。
【００２２】
（１１）前記無線部を通して行われる通信の発信先を識別することにより発信先識別情報を得、該発信先識別情報によって識別された発信先毎の通信の度数を計数することにより発信カウント情報を得、該発信カウント情報によって認識される通信の度数を記憶してなる情報を前記カウント記憶情報とする上記（９）の携帯情報端末装置における電話帳表示方法。
【００２３】
（１２）前記学習機能設定情報は、当該通信相手候補者に係る表示としての電話帳表示における表示順を使用頻度順に従うものとするか又は五十音順に従うものとするかを表す情報である上記（９）の携帯情報端末装置における電話帳表示方法。
【００２４】
（１３）前記表示モード選択情報は、当該通信相手候補者に係る表示としての電話帳表示における表示順に係る曜日を選択する情報である上記（９）の携帯情報端末装置における電話帳表示方法。
【００２５】
（１４）前記表示モード選択情報は、当該通信相手候補者に係る表示としての電話帳表示における表示順に係る平日と休日との区分を選択する情報である上記（９）の携帯情報端末装置における電話帳表示方法。
【００２６】
（１５）前記表示モード選択情報は、当該通信相手候補者に係る表示としての電話帳表示における表示順に係る該当月の上旬、中旬、下旬の区分を選択する情報である上記（９）の携帯情報端末装置における電話帳表示方法。
【００２７】
（１６）前記表示モード選択情報は、当該表示態様を選択的に設定することはしない旨をも含み得る情報である上記（９）の携帯情報端末装置における電話帳表示方法。
【００２８】
【発明の実施の形態】
以下、本発明の携帯情報端末装置およびこの装置における電話帳表示方法の好適実施形態について詳細に説明する。
【００２９】
図１は本発明の実施形態を示すブロック図である。
【００３０】
図１において、基地局へ発着番号を送受信するアンテナ１１と、無線の送受信を行う無線部１２と、無線部１２によって送受信するデータをコード化し、コード化したデータをデコード化するベースバンド部１３が設けられ、これらアンテナ１１、無線部１２、及び、ベースバンド部１３を含んで外部の装置と無線通信を行なうための無線通信部が構成される。
【００３１】
プログラム制御により装置の動作を統括的に制御して所要の情報の処理を実行する中央処理部１４が設けられている。この中央処理部１４は上記無線通信部を通して行われる通信の履歴及び操作者による設定操作に基づいて発信に際しての通信相手候補者に係る表示を行うための優先順位を決定する処理を行なう。
【００３２】
中央処理部１４には、電話帳の表示指示や入力等を行うキーボード１５と、受信したメールや電話帳等の情報を表示する表示部１６と、電話帳表示の際に中央処理部１４と共働して表示する順序を管理する表示順管理エリア１７が連携するように結ばれている。
【００３３】
また、中央処理部１４は、情報登録管理手段１４１と、学習機能設定手段１４２と、発信先識別手段１４３と、発信カウント手段１４４と、カウント記憶手段１４５と、表示モード選択手段１４６と、曜日を認識する曜日認識手段１４７と、表示順決定手段１４８と、情報表示手段１４９を備えている。
【００３４】
情報登録管理手段１４１は、ユーザからキーボード１５の入力を受け、電話帳に電話番号や名前等の情報を登録し管理を行う。学習機能設定手段１４２にて電話帳表示順を使用頻度順若しくは五十音順で行うかを設定する。発信先識別手段１４３は発信の際に発信先がどこであるかの識別を行い、発信先が識別されると発信カウント手段１４４はカウント記憶手段１４５に記憶されている発信回数（発信先毎の通信の度数）に１を加算し、加算されたカウントは再度カウント記憶手段１４５に記憶される。
【００３５】
本例では、カウント記憶手段１４５は曜日別にカウント数の管理を行う。ユーザは、表示モード設定選択手段１４６を用いて電話帳の表示モード設定（曜日別）を設定する事が出来る。
【００３６】
表示順決定手段１４８は、学習機能設定手段１４２の設定とカウント記憶手段１４５の情報と表示モード設定選択手段１４６の設定、及び、曜日認識手段１４７にて認識された曜日の情報に基づいて電話帳表示時の表示順を決定し表示順管理エリア１７にて管理する。電話帳を表示する際は情報表示手段１４９にて表示順管理エリア１７に管理されている情報表示を行う。
【００３７】
図２は図１の装置の動作を説明するためのフローチャートである。
【００３８】
図２より、電話帳への情報登録からモード設定後の登録情報の表示までにおける中央処理部１４の処理の流れを説明する。
【００３９】
まず、電話帳に登録する情報を入力する（Ｓ２０１）。情報入力が終了し登録を選択すると、入力された情報は情報登録管理手段１４１を用い電話帳に登録され管理される（Ｓ２０２）。登録された情報は表示順決定手段１４８により、予め選択されたモードに従い表示順の整理を行い（Ｓ２０３）、表示順管理エリア１７にて管理する（Ｓ２０４）。電話帳を表示する場合は情報表示手段１４９を用い表示部１６に表示する（Ｓ２０５）。
【００４０】
次に、図３は図１の装置におけるモード設定を説明するためのフローチャートである。
【００４１】
また、図４は、図１の装置における表示部での表示例を示す図である。
【００４２】
図３、図４に基づいて、使用頻度をカウント／管理する学習機能設定の流れと表示モード設定の流れを説明する。
【００４３】
まず、メニュー画面より学習機能設定を選択する（Ｓ３０１）。学習機能設定を行う場合（Ｓ３０２：Ｙｅｓ）、図４（ａ）の様な学習機設定画面を表示する（Ｓ３０３）。「ＯＮ」を選択すると（Ｓ３０４：Ｙｅｓ）、学習機能ＯＮが確定し（Ｓ３０５）、図４（ｂ）の様な曜日設定画面を表示する（Ｓ３０６）。「曜日別」を選択すると（Ｓ３０７）、ユーザによる発信を曜日別に管理して使用頻度により表示順が確定し（Ｓ３０８）、表示モード設定は終了する（Ｓ３０９）。同様に、「平日／休日別」を選択すると（Ｓ３１０）、月曜日から金曜日までの平日と土曜日や日曜日の休日別の使用頻度により表示順が確定し（Ｓ３０８）、「月別」を選択すると（Ｓ３１１）、該当月の上旬、中旬、下旬の区分、即ち、１日から１０日までの月の初めと１１日から２０日の月の真ん中と２１日から３０日までの月の終わり別（該当月の上旬、中旬、下旬の区分）の使用頻度により表示順が確定し（Ｓ３０８）、表示モード設定は終了する（Ｓ３０９）。表示モード設定を行わない場合（Ｓ３０２：Ｎｏ、Ｓ３０４：Ｎｏ）、表示モード設定ＯＦＦは確定し（Ｓ３１２）、表示モード設定は終了する（Ｓ３０９）。モード設定が終了すると通常の待ち受け画面に戻り（Ｓ３１３）、表示順の並び替えを行い（Ｓ３１４）、電話帳表示の際に設定された表示順に情報表示を行う（Ｓ３１５）。
【００４４】
図５は本発明の一実施形態における曜日の設定機能を説明するためのフローチャートである。
【００４５】
また、図６は図５のフローチャートにおける動作例での表示状況を示す図である。
【００４６】
図５及び図６に基づいて、ユーザが曜日を任意に設定可能な場合の表示モード設定の流れを説明する。
【００４７】
まず、メニュー画面より表示モード設定を選択する（Ｓ５０１）。表示モード設定を行う場合（Ｓ５０２：Ｙｅｓ）、図６（ａ）の様な曜日設定画面を表示する（Ｓ５０３）。設定したい曜日（複数可）を選択し（Ｓ５０４）、ＯＫを選択すると（Ｓ５０５）、表示モードが確定し（Ｓ５０６）、表示モード設定は終了する（Ｓ５０７）。表示モード設定を行わない場合（Ｓ５０２：Ｎｏ）、表示モード設定ＯＦＦは確定し（Ｓ５０８）、表示モード設定は終了する（Ｓ５０７）。表示モード設定が終了すると通常の待ち受け画面に戻り（Ｓ５０９）、表示順の並べ替えを行い（Ｓ５１０）、電話帳表示の際に設定された表示順に情報表示を行う（Ｓ５１１）。
【００４８】
図７は本発明の他の実施形態における曜日の設定をグループ化して行うための機能を説明するためのフローチャートである。
【００４９】
また、図８は図７のフローチャートにおける動作例での表示状況を示す図である。
【００５０】
図７及び図８に基づいて、ユーザが曜日を任意にグループ化して設定することが可能な場合の表示モード設定の流れを説明する。
【００５１】
まず、メニュー画面より表示モード設定を選択する（Ｓ７０１）。表示モード設定を行う場合（Ｓ７０２：Ｙｅｓ）、図８（ａ）の様なグループ選択画面を表示する（Ｓ７０３）。「グループ１」を選択すると（Ｓ７０４）、図８（ｂ）の様な曜日設定画面を表示する（Ｓ７０５）。グループ１に設定したい曜日（複数可）を入力すると（Ｓ７０６）、入力したグループ１の表示モードが確定し（Ｓ７０７）、表示モード設定は終了する（Ｓ７０８）。表示モード設定を行わない場合（Ｓ７０２：Ｎｏ）、表示モード設定ＯＦＦは確定し（Ｓ７０９）、表示モード設定は終了する（Ｓ７０８）。表示モード設定が終了すると通常の待ち受け画面に戻り（Ｓ７１０）、表示順の並べ替えを行い（Ｓ７１１）、電話帳表示の際に設定された表示順に情報表示を行う（Ｓ７１２）。
【００５２】
【発明の効果】
本発明によれば、所望の情報の表示を得るための準備段階の操作は簡単でありながら目的とする情報の検索が速やかに行われ得るこの種の携帯情報端末装置およびこの装置による電話帳表示方法が実現される。
【図面の簡単な説明】
【図１】本発明の実施形態を示すブロック図である。
【図２】図１の装置の動作を説明するためのフローチャートである。
【図３】図１の装置におけるモード設定を説明するためのフローチャートである。
【図４】図１の装置における表示部での表示例を示す図である。
【図５】本発明の一実施形態における曜日の設定機能を説明するためのフローチャートである。
【図６】図６は図５のフローチャートにおける動作例での表示状況を示す図である。
【図７】本発明の他の実施形態における曜日の設定をグループ化して行うための機能を説明するためのフローチャートである。
【図８】図７のフローチャートにおける動作例での表示状況を示す図である。
【符号の説明】
１１                        アンテナ
１２                        無線部
１３                        ベースバンド部
１４                        中央処理部
１５                        キーボード
１６                        表示部
１７                        表示順管理エリア
１４１                      情報登録管理手段
１４２                      学習機能設定手段
１４３                      発信先識別手段
１４４                      発信カウント手段
１４５                      カウント記憶手段
１４６                      表示モード選択手段
１４７                      曜日認識手段
１４８                      表示順決定手段
１４９                      情報表示手段
【図１】
2004289398.tif 000003
【図２】
2004289398.tif 000004
【図３】
2004289398.tif 000005
【図４】
2004289398.tif 000006
【図５】
2004289398.tif 000007
【図６】
2004289398.tif 000008
【図７】
2004289398.tif 000009
【図８】
2004289398.tif 000010